(57)【要約】【課題】台上に略鉢状をした洗面ボールを載置固定する洗面台において、略鉢状をした洗面ボールの傾斜した外面に付着した水滴が流下して台に付着するのを防止する洗面台を提供する。【解決手段】台１上に略鉢状をした洗面ボール２を載置固定する洗面台において、洗面ボール２の傾斜した外面２０に周方向に下方に突出する水切りリブ３を形成し、周縁に堰リブ４１を形成すると共に該周縁が平面視において上記水切りリブ３を囲む水受けトレイ４を台１上の洗面ボール２を載置した部分以外の部分に載置した。【選択図】        図１
2004147697.tif 000002
【特許請求の範囲】
【請求項１】
台上に略鉢状をした洗面ボールを載置固定する洗面台において、洗面ボールの傾斜した外面に周方向に下方に突出する水切りリブを形成し、周縁に堰リブを形成すると共に該周縁が平面視において上記水切りリブを囲む水受けトレイを台上の洗面ボールを載置した部分以外の部分に載置して成ることを特徴とする洗面台。
【請求項２】
台上に略鉢状をした洗面ボールを載置固定する洗面台において、洗面ボールの傾斜した外面に周方向に下方に突出する水切りリブを形成し、周縁に堰リブを形成して該周縁が平面視において水切りリブを囲んで且つ、上面から上方に向けて突出してその上端部が上記水切りリブに当接又は近接する受け側リブを形成した水受けトレイを台上の洗面ボールを載置した部分以外の部分に載置して成ることを特徴とする洗面台。
【請求項３】
水受けトレイの堰リブにオーバーフロー用の切欠を形成すると共に、この切欠からオーバーフローした水が流下する誘導部を設けて成ることを特徴とする請求項１又は２記載の洗面台。
【請求項４】
水受けトレイを台に対して取外し自在に取り付けることを特徴とする請求項１乃至３のいずれかに記載の洗面台。
【請求項５】
水受けトレイの周縁部に下方に垂下して台の上端部端面を覆って保護する保護リブを設けることを特徴とする請求項１乃至４のいずれかに記載の洗面台。
【発明の詳細な説明】
【０００１】
【発明の属する技術分野】
本発明は、台上に略鉢状をした洗面ボールを載置した洗面台に関するものである。
【０００２】
【従来の技術】
従来より、洗面所や脱衣室等の部屋において、略鉢状をした洗面ボールが固定された洗面台が良く設置されて利用されている（例えば特許文献１，特許文献２参照）。洗面ボールの洗面台に対する固定の仕方としては、略鉢状をした洗面ボールをカウンターやキャビネット等の台に埋設する仕方もあるが、最近は外観性を考慮して略鉢状をした洗面ボールの底部を台上に載置固定したものも多く、以下、台上に略鉢状をした洗面ボールを載置した洗面台について説明する。
【０００３】
台としては、上述したようなキャビネットやカウンター等で、図７（ａ）や（ｂ）に示すように、この台の上面上に略鉢状をした洗面ボールの底部を載置固定して洗面台を構成し、洗面ボールにカランを設けると共に、洗面ボールの底部に排水口が設けてあり、洗面ボールにて洗面や手洗いが可能となっている。
【０００４】
このような洗面台においては、洗面や手洗いを行っている際に水滴が洗面ボールの外側に付着し、図８に示すように、この水滴が洗面ボールの傾斜した外面を流下して底部の近傍で台上に付着し、台となっているキャビネットやカウンター等の天板が膨潤したり水垢汚れが形成されてしまう、という問題があった。
【０００５】
【特許文献１】
特開２０００−１８９３３５公報
【特許文献２】
特開平９−２５０１５３号公報
【０００６】
【発明が解決しようとする課題】
本発明は上記の点に鑑みてなされたものであり、その目的とするところは、台上に略鉢状をした洗面ボールを載置固定する洗面台において、略鉢状をした洗面ボールの傾斜した外面に付着した水滴が流下して台に付着するのを防止する洗面台を提供することを課題とするものである。
【０００７】
【課題を解決するための手段】
上記課題を解決するために本発明に係る洗面台１は、台１上に略鉢状をした洗面ボール２を載置固定する洗面台１において、洗面ボール２の傾斜した外面２０に周方向に下方に突出する水きりリブ３を形成し、周縁に堰リブ４１を形成すると共に該周縁が平面視において上記水きりリブ３を囲む水受けトレイ４を台１上の洗面ボール２を載置した部分以外の部分に載置して成ることを特徴とするものである。このような構成とすることで、洗面ボール２の外面２０の傾斜面を流下した水が水きりリブ３の下端部より底部２３側へ移動するのが阻止され、この水きりリブ３より水受けトレイ４の水受け部４０に受けられるようになって、傾斜面を流下して洗面ボール２の底部２３が載置固定されている台１上の部分に集中して付着することが阻止できる。
【０００８】
また、本発明に係る洗面台１は、台１上に略鉢状をした洗面ボール２を載置固定する洗面台１において、洗面ボール２の傾斜した外面２０に周方向に下方に突出する水きりリブ３を形成し、周縁に堰リブ４１を形成して該周縁が平面視において水きりリブ３を囲んで且つ、上面から上方に向けて突出してその上端部が上記水きりリブ３に当接又は近接する受け側リブ４２を形成した水受けトレイ４を台１上の洗面ボール２を載置した部分以外の部分に載置して成ることを特徴とするものである。このような構成とすることで、洗面ボール２の外面２０の傾斜面を流下した水が水きりリブ３の下端部より底部２３側へ移動するのが阻止され、この水きりリブ３より水受けトレイ４の受け側リブ４２を介して効率良く水受け部４０に受けられるようになって、傾斜面を流下して洗面ボール２の底部２３が載置固定されている台１上の部分に集中して付着することが阻止できる。
【０００９】
また、水受けトレイ４の堰リブ４１にオーバーフロー用の切欠４３を形成すると共に、この切欠４３からオーバーフローした水が流下する誘導部４４を設けることが好ましい。このような構成とすることで、水受けトレイ４の水受け部４０に溜まった水が堰リブ４１の広範囲から溢れ出るのを防止し、この切欠４３を通って誘導部４４のみから流出させることができる。
【００１０】
また、水受けトレイ４を台１に対して取外し自在に取り付けることが好ましい。このような構成とすることで、水受けトレイ４や台１、更に洗面ボール２の手入れが容易となる。
【００１１】
また、水受けトレイ４の周縁部に下方に垂下して台１の上端部端面を覆って保護する保護リブ４５を設けることが好ましい。このような構成とすることで、水受けトレイ４の保護リブ４５を台１に被嵌して取り付けた際、この保護リブ４５にて台１の上端部の側端面が保護されると共に、水受けトレイ４を簡単な構成で容易に確実に台１上に配設して固定することが可能となる。
【００１２】
【発明の実施の形態】
以下、本発明を添付図面に示す実施形態に基づいて説明する。本発明の洗面台１は、略鉢状をした洗面ボール２を台１上に載置固定するものである。
【００１３】
洗面ボール２は、図３に示すように、上方に開口する略鉢状をしたもの、即ち、略半球殻状やラグビーボールを分割したような形状等で特に限定はされないが、平面視における洗面ボール２内部の断面積は下方へいく程徐々に小さくなり、これに伴いその外面２０が斜め下方に面する傾斜面となっているこのような洗面ボール２には、上開口の上方には給水口５３が配設されると共に底部２３に排水口２４（図４参照）が形成されて排水管に接続され、給水口５３から吐出されて手や顔を洗ったりした水を洗面ボール２で受け、排水口２４を介して排水するものである。本実施形態においては、洗面ボール２は上方に開口して水を受けるボール部２１と、ボール部２１の後方に延設部２２が設けてあり、この延設部２２に給水管５１が配設される。そして、この洗面ボール２には後述するが外面２０の傾斜面２０に水きりリブ３が設けてある（図１参照）。
【００１４】
上記洗面ボール２が載置固定される台１は、図３に示すように、上面が大略平坦となったもので、カウンター，キャビネットの天板やシンクの天板等、特に限定されない。
【００１５】
本発明においては、この台１上に上述した洗面ボール２の底部２３が載置固定される。即ち、洗面ボール２は底部２３で台１上に載置固定されるのみで、洗面ボール２の外面２０の傾斜面は台１上の上方に隙間を介して位置することとなる（図１，図３等参照）。
【００１６】
台１上の洗面ボール２の底部２３が載置固定される部分には、洗面ボール２の排水口２４とほぼ連通するように排水穴が穿孔され、台１の下方よりこの排水穴を介して洗面ボール２の排水口２４に排水管が接続してある。なお、通常は台１の下に配設される排水管はカウンター，キャビネット等の内部に配設されて外から見えないようになっている。またなお、台１がシンクの天板の場合には排水管を設けず排水口２４（及び排水穴）より水が直接シンク内に吐出するようにしてあってもよい。
【００１７】
また台１には、挿通穴（図示せず）を穿孔してこの挿通穴に給水管５１が挿通してあり、給水管５１の先端開口が洗面ボール２の上方に位置して給水口５３となっている。
【００１８】
このように台１上に載置固定された洗面ボール２にて手や顔やその他のものを洗ったりする際に水が多かれ少なかれ飛散するもので、この飛散した水は、洗面ボール２の上端縁部や台１上等に付着したり、台１周辺に飛散したりするものである。この飛散する水のうち、台１周辺に飛散するものは通常は水がまばらに飛散するため、水が付着した部分が膨潤したり水垢汚れが形成されたりすることは特にないのであるが、洗面ボール２の上端部や外面２０に付着した水は、傾斜面を流下して洗面ボール２の底部２３が載置固定されている台１上の部分に集中して付着するため、この部分が水を吸収して膨潤したり水垢汚れが形成されてしまうものであった。そこで、本実施形態では、台１上に水が付着しないように、洗面ボール２の外面２０に水きりリブ３を設けると共に、水受けトレイ４を台１上に配置するものである。
【００１９】
水きりリブ３は、図１に示すように、洗面ボール２の外面２０の傾斜面の途中に周方向にその下端部が下方に突出するように設けるものである。水きりリブ３は洗面ボール２外面２０の周方向全周に亘って設けるのが好ましいが、特に全周に限定されない。
【００２０】
水受けトレイ４は、台１上の洗面ボール２の底部２３を載置固定した部分以外の部分に載置される板状のもので、本実施形態では図４に示すように略馬蹄状に形成してあるが特にこの形状に限定されない。水受けトレイ４の上面は水受け部４０となっており、この水受け部４０は平面視において上述した洗面ボール２の水きりリブ３を内部に含むように配置される。これにより、洗面ボール２の水きりリブ３から滴下する水が水受け部４０にて受けられる。また、水受けトレイ４の周縁（即ち水受け部４０の周縁）には水が周縁からこぼれ落ちるのを阻止する堰リブ４１が上方に突設してある。このような水受けトレイ４は、台１上に容易に取外し自在に配置されるもので、載置するのみでもよく、また、台１の周縁に被嵌するようなものでもよい。このように取外し自在とすることで水受けトレイ４や台１、更に洗面ボール２の手入れが容易となる。
【００２１】
更に本実施形態では、水受けトレイ４に図１に示すように、上面の水受け部４０から上方に向けて、上端部が上記洗面ボール２の外面２０の傾斜面に形成した水きりリブ３に当接又は近接する受け側リブ４２を突設してある。この受け側リブ４２は、洗面ボール２の水きりリブ３に当接するのが好ましく、この場合、洗面ボール２の外面２０の傾斜面を流下した水が水きりリブ３より受け側リブ４２に移動し、受け側リブ４２を流下して水受け部４０に受けられることとなる。これにより、台１に水が付着して台１が膨潤したり水垢汚れが形成されたりすることがないものであり、また、洗面ボール２の外面２０の傾斜面と台１上との間に形成される隙間を覆い隠すことができる。この時、受け側リブ４２を装飾モールとして形成しておくことで、外観を良くすることができる。
【００２２】
また、受け側リブ４２が水きりリブ３に当接しない場合は、水きりリブ３の下端部に付着して水きりリブ３の下端部から数ｍｍ程ぶら下がる状態となった水に触れるように受け側リブ４２の上端部を水きりリブ３に近接させることで、洗面ボール２の外面２０の傾斜面を流下した水が水きりリブ３より受け側リブ４２に移動し、受け側リブ４２を流下して水受け部４０に受けられることとなる。これにより、台１に水が付着して台１が膨潤したり水垢汚れが形成されたりすることがないものであり、また、洗面ボール２の外面２０の傾斜面と台１上との間に形成される隙間をほぼ覆い隠すことができる。
【００２３】
以上のように、洗面ボール２の外面２０に水きりリブ３を設けると共に、水受けトレイ４を台１上に配置することで、洗面ボール２の外面２０の傾斜面を流下した水が水きりリブ３の下端部より底部２３側へ移動するのが阻止され、この水きりリブ３より水受けトレイ４の水受け部４０に受けられるようになる。これによって、外面２０の傾斜面を流下して洗面ボール２の底部２３が載置固定されている台１上の部分に集中して付着することが阻止できて、この部分が水を吸収して膨潤したり水垢汚れが形成されるのを防止することができる。
【００２４】
また、受け側リブ４２を設けておくことで、水きりリブ３からこの受け側リブ４２に水が移動させて効率良く水を水受け部４０に受けさせることが可能となると共に、洗面ボール２の外面２０の傾斜面と台１上との間に形成される隙間を覆い隠すことができる。
【００２５】
なお、図２乃至図４に示すように、水受けトレイ４に受け側リブ４２を設けない場合でも、洗面ボール２の外面２０の傾斜面を流下した水は水きりリブより底部２３側には移動することができないため、水きりリブ３から水受けトレイ４の水受け部４０に受けられることとなって台１上に直接付着することが防止される。
【００２６】
次に、図５に基づいて水受けトレイ４の他例について説明する。
【００２７】
この図５に示す水受けトレイ４は、周縁の堰リブ４１にオーバーフロー用の切欠４３を形成すると共に、この切欠４３からオーバーフローした水が流下する誘導部４４を設けてある。
【００２８】
このようにすることで、水受けトレイ４の水受け部４０に溜まった水が堰リブ４１の広範囲から溢れ出るのを防止し、この切欠４３を通って誘導部４４のみから流出させることができる。
【００２９】
次に、図６に基づいて水受けトレイ４の更に他例について説明する。
【００３０】
この図６に示す水受けトレイ４は、周縁に上方に向けて堰リブ４１を設けるだけでなく下方に向けて保護リブ４５を突設してある。水受けトレイ４の保護リブ４５を台１に被嵌して取り付けた際、この保護リブ４５にて台１の上端部の側端面が保護されると共に、水受けトレイ４を簡単な構成で容易に確実に台１上に配設して固定することが可能となる。
【００３１】
【発明の効果】
上記のように本発明の請求項１記載の発明にあっては、台上に略鉢状をした洗面ボールを載置固定する洗面台において、洗面ボールの傾斜した外面に周方向に下方に突出する水切りリブを形成し、周縁に堰リブを形成すると共に該周縁が平面視において上記水切りリブを囲む水受けトレイを台上の洗面ボールを載置した部分以外の部分に載置したので、洗面ボールの外面の傾斜面を流下した水が水切りリブの下端部より底部側へ移動するのが阻止され、この水切りリブより水受けトレイの水受け部に受けられるようになって、傾斜面を流下して洗面ボールの底部が載置固定されている台上の部分に集中して付着することが阻止できて、この部分が水を吸収して膨潤したり水垢汚れが形成されるのを防止することができる。
【００３２】
また請求項２記載の発明にあっては、台上に略鉢状をした洗面ボールを載置固定する洗面台において、洗面ボールの傾斜した外面に周方向に下方に突出する水切りリブを形成し、周縁に堰リブを形成して該周縁が平面視において水切りリブを囲んで且つ、上面から上方に向けて突出してその上端部が上記水切りリブに当接又は近接する受け側リブを形成した水受けトレイを台上の洗面ボールを載置した部分以外の部分に載置したので、洗面ボールの外面の傾斜面を流下した水が水切りリブの下端部より底部側へ移動するのが阻止され、この水切りリブより水受けトレイの受け側リブを介して効率良く水受け部に受けられるようになって、傾斜面を流下して洗面ボールの底部が載置固定されている台上の部分に集中して付着することが阻止できて、この部分が水を吸収して膨潤したり水垢汚れが形成されるのを防止することができ、また、洗面ボールの外面の傾斜面と台上との間に形成される隙間を覆い隠すことができる。
【００３３】
また請求項３記載の発明にあっては、上記請求項１又は２記載の発明の効果に加えて、水受けトレイの堰リブにオーバーフロー用の切欠を形成すると共に、この切欠からオーバーフローした水が流下する誘導部を設けたので、水受けトレイの水受け部に溜まった水が堰リブの広範囲から溢れ出るのを防止し、この切欠を通って誘導部のみから流出させることができる。
【００３４】
また請求項４記載の発明にあっては、上記請求項１乃至３のいずれかに記載の発明の効果に加えて、水受けトレイを台に対して取外し自在に取り付けたので、水受けトレイや台、更に洗面ボールの手入れが容易となる。
【００３５】
また請求項５記載の発明にあっては、上記請求項１乃至４のいずれかに記載の発明の効果に加えて、水受けトレイの周縁部に下方に垂下して台の上端部端面を覆って保護する保護リブを設けたので、水受けトレイの保護リブを台に被嵌して取り付けた際、この保護リブにて台の上端部の側端面が保護されると共に、水受けトレイを簡単な構成で容易に確実に台上に配設して固定することが可能となる。
【図面の簡単な説明】
【図１】本発明の一実施形態の要部断面図である。
【図２】同上において受け側リブを設けていない水受けトレイの要部断面図である。
【図３】同上の斜視図である。
【図４】同上の洗面ボール及び水受けトレイの平面図である。
【図５】（ａ）（ｂ）はそれぞれ水受けトレイの他例の要部斜視図である。
【図６】水受けトレイの更に他例の要部側断面図である。
【図７】（ａ）（ｂ）は洗面台の概略全体斜視図である。
【図８】従来の洗面台の要部側断面図である。
【符号の説明】
１  台
２  洗面ボール
２０  外面
３  水切りリブ
４  水受けトレイ
４１  堰リブ
【図１】
2004147697.tif 000003
【図２】
2004147697.tif 000004
【図３】
2004147697.tif 000005
【図４】
2004147697.tif 000006
【図５】
2004147697.tif 000007
【図６】
2004147697.tif 000008
【図７】
2004147697.tif 000009
【図８】
2004147697.tif 000010